(57)【特許請求の範囲】
【請求項１】
交流電源から供給された交流電圧を整流して第１端子及び第２端子間から整流電圧を出力する整流素子と、
前記第１端子に一端が接続されたＬＥＤ素子と、
前記ＬＥＤ素子の他端と前記第２端子との間に接続され、前記ＬＥＤ素子に流れる電流を、温度上昇に伴って減少するように制御する電流制御部と、を備え、
前記電流制御部は、
前記ＬＥＤ素子の他端に一端が接続された電流制御素子と、
前記電流制御素子の他端と前記第２端子との間に接続された第１抵抗と、
前記電流制御素子の他端の電圧を、温度上昇に伴って低下する温度依存電圧だけ降圧して、参照電圧を生成する降圧部と、
前記参照電圧が一定となるように、前記電流制御素子の制御端子の電圧を制御する電圧制御部と、を有する
ことを特徴とするＬＥＤ点灯装置。
【請求項２】
前記降圧部は、
前記電流制御素子の他端にアノードが接続されたダイオード素子と、
前記ダイオード素子のカソードと前記第２端子との間に接続された第２抵抗と、を有する
ことを特徴とする請求項１に記載のＬＥＤ点灯装置。
【請求項３】
前記温度依存電圧は、前記ダイオード素子の温度上昇に伴って低下する
ことを特徴とする請求項２に記載のＬＥＤ点灯装置。
【請求項４】
前記ダイオード素子は、前記電流制御素子の他端と前記第２抵抗との間に直列接続された複数のダイオードで構成されている
ことを特徴とする請求項２又は請求項３に記載のＬＥＤ点灯装置。
【請求項５】
前記電圧制御部は、
前記第１端子に一端が接続された第３抵抗と、
前記第３抵抗の他端および前記電流制御素子の制御端子にカソードが接続され、前記第２端子にアノードが接続され、前記参照電圧が基準端子に供給され、前記参照電圧が増加すると前記カソードの電圧が低下して、前記参照電圧が低下すると前記カソードの電圧が増加するシャントレギュレータと、を有する
ことを特徴とする請求項１から請求項４の何れかに記載のＬＥＤ点灯装置。
【請求項６】
前記整流素子は、ブリッジダイオードである
ことを特徴とする請求項１から請求項５の何れかに記載のＬＥＤ点灯装置。
【請求項７】
前記ＬＥＤ素子は、前記第１端子と前記電流制御部との間に直列接続された複数のＬＥＤで構成されている
ことを特徴とする請求項１から請求項６の何れかに記載のＬＥＤ点灯装置。
【請求項８】
前記電流制御素子は、Ｎ型ＭＯＳトランジスタである
ことを特徴とする請求項１から請求項５の何れかに記載のＬＥＤ点灯装置。
【請求項９】
前記交流電源からの前記交流電圧に代えて、直流電源からの直流電圧が、前記整流素子を通さず、直接前記第１端子と前記第２端子間に供給される
ことを特徴とする請求項１から請求項８の何れかに記載のＬＥＤ点灯装置。
【請求項１０】
請求項１から請求項８の何れかに記載のＬＥＤ点灯装置と、
交流電源から供給された交流電圧を前記ＬＥＤ点灯装置の前記整流素子に加えるか否か制御する制御部と、を備える
ことを特徴とする表示装置。
【請求項１１】
交流電源から供給された交流電圧を整流して第１端子及び第２端子間から整流電圧を出力する整流素子と、前記第１端子に一端が接続されたＬＥＤ素子と、前記ＬＥＤ素子の他端と前記第２端子との間に接続された電流制御部と、を備え、前記電流制御部は、前記ＬＥＤ素子の他端に一端が接続された電流制御素子と、前記電流制御素子の他端と前記第２端子との間に接続された第１抵抗と、降圧部と、電圧制御部と、を有する、ＬＥＤ点灯装置の制御方法であって、
前記降圧部により、前記電流制御素子の他端の電圧を、温度上昇に伴って低下する温度依存電圧だけ降圧して、参照電圧を生成し、
前記電圧制御部により、前記参照電圧が一定となるように、前記電流制御素子の制御端子の電圧を制御し、
前記電流制御部により、前記ＬＥＤ素子に流れる電流を、温度上昇に伴って減少するように制御する
ことを特徴とするＬＥＤ点灯装置の制御方法。
【発明の詳細な説明】
【技術分野】
【０００１】
本発明は、ＬＥＤ点灯装置、これを備えた表示装置およびＬＥＤ点灯装置の制御方法に関する。
【背景技術】
【０００２】
従来、図５に示すように、交流電源から供給された交流電圧を整流素子（ブリッジダイオード）Ｂ１で全波整流して、整流電圧を、直列接続された複数のＬＥＤ（ＬＥＤ１〜ＬＥＤｎ）から構成されるＬＥＤ素子１１に加えることで、ＬＥＤ素子１１を点灯させるＬＥＤ点灯装置が知られている。
【０００３】
このとき、電流制御部１２０が、ＬＥＤ素子１１に流れる電流を一定電流に制御する。具体的には、電流制御部１２０は、Ｎ型ＭＯＳトランジスタＱ１１と、抵抗Ｒ１１〜Ｒ１４と、シャントレギュレータＩＣ１１と、を有する。トランジスタＱ１１は、ドレインがＬＥＤ素子１１のカソードに接続され、ソースが抵抗Ｒ１１に接続されている。抵抗Ｒ１２とＲ１３は、トランジスタＱ１１のソースの電圧を分圧した参照電圧を出力する。シャントレギュレータＩＣ１１は、入力された参照電圧が一定となるように、トランジスタＱ１１のゲートの電圧を制御する。これにより、トランジスタＱ１１のソースの電圧が一定になるように制御されるので、抵抗Ｒ１１に流れる電流（つまり、ＬＥＤ素子１１に流れる電流）が一定電流に制御される。
【０００４】
このＬＥＤ点灯装置に類似したものとして、例えば、特許文献１に記載された装置が知られている。
【先行技術文献】
【特許文献】
【０００５】
【特許文献１】特開２００４−０９３６５７号公報
【発明の概要】
【発明が解決しようとする課題】
【０００６】
上記従来のＬＥＤ点灯装置では、ＬＥＤ素子１１に一定電流が流れて点灯することにより、整流素子Ｂ１、ＬＥＤ素子１１および電流制御部１２０の温度は上昇する。この電流による温度上昇に加えて、ＬＥＤ点灯装置を屋外に設置した場合、直射日光の影響などによって更に温度上昇しやすく、温度上昇によりＬＥＤ点灯装置の耐久性が低下する恐れがある。また、温度上昇により、ＬＥＤ素子１１の順方向電圧Ｖｆが低下すると、電流制御部１２０のトランジスタＱ１１及び抵抗Ｒ１１に加わる電圧が増加するので、このトランジスタＱ１１及び抵抗Ｒ１１での電力の損失が増加する。これらの理由から、ＬＥＤ点灯装置の温度上昇を抑制することが好ましい。
【０００７】
そこで、本発明は、温度上昇を抑制できるＬＥＤ点灯装置、これを備えた表示装置およびＬＥＤ点灯装置の制御方法を提供することを目的とする。
【課題を解決するための手段】
【０００８】
本発明の一態様に係る実施例に従ったＬＥＤ点灯装置は、
交流電源から供給された交流電圧を整流して第１端子及び第２端子間から整流電圧を出力する整流素子と、
前記第１端子に一端が接続されたＬＥＤ素子と、
前記ＬＥＤ素子の他端と前記第２端子との間に接続され、前記ＬＥＤ素子に流れる電流を、温度上昇に伴って減少するように制御する電流制御部と、を備えることを特徴とする。
【０００９】
上記ＬＥＤ点灯装置において、
前記電流制御部は、
前記ＬＥＤ素子の他端に一端が接続された電流制御素子と、
前記電流制御素子の他端と前記第２端子との間に接続された第１抵抗と、
前記電流制御素子の他端の電圧を、温度上昇に伴って低下する温度依存電圧だけ降圧して、参照電圧を生成する降圧部と、
前記参照電圧が一定となるように、前記電流制御素子の制御端子の電圧を制御する電圧制御部と、を有しても良い。
【００１０】
上記ＬＥＤ点灯装置において、
前記降圧部は、
前記電流制御素子の他端にアノードが接続されたダイオード素子と、
前記ダイオード素子のカソードと前記第２端子との間に接続された第２抵抗と、を有しても良い。
【００１１】
上記ＬＥＤ点灯装置において、
前記温度依存電圧は、前記ダイオード素子の温度上昇に伴って低下しても良い。
【００１２】
上記ＬＥＤ点灯装置において、
前記ダイオード素子は、前記電流制御素子の他端と前記第２抵抗との間に直列接続された複数のダイオードで構成されていても良い。
【００１３】
上記ＬＥＤ点灯装置において、
前記電圧制御部は、
前記第１端子に一端が接続された第３抵抗と、
前記第３抵抗の他端および前記電流制御素子の制御端子にカソードが接続され、前記第２端子にアノードが接続され、前記参照電圧が基準端子に供給され、前記参照電圧が増加すると前記カソードの電圧が低下して、前記参照電圧が低下すると前記カソードの電圧が増加するシャントレギュレータと、を有しても良い。
【００１４】
上記ＬＥＤ点灯装置において、
前記整流素子は、ブリッジダイオードであっても良い。
【００１５】
上記ＬＥＤ点灯装置において、
前記ＬＥＤ素子は、前記第１端子と前記電流制御部との間に直列接続された複数のＬＥＤで構成されていても良い。
【００１６】
上記ＬＥＤ点灯装置において、
前記電流制御素子は、Ｎ型ＭＯＳトランジスタであっても良い。
【００１７】
上記ＬＥＤ点灯装置において、
前記交流電源からの前記交流電圧に代えて、直流電源からの直流電圧が、前記整流素子を通さず、直接前記第１端子と前記第２端子間に供給されても良い。
【００１８】
本発明の一態様に係る実施例に従った表示装置は、
上記ＬＥＤ点灯装置と、
交流電源から供給された交流電圧を前記ＬＥＤ点灯装置の前記整流素子に加えるか否か制御する制御部と、を備えることを特徴とする。
【００１９】
本発明の一態様に係る実施例に従ったＬＥＤ点灯装置の制御方法は、
交流電源から供給された交流電圧を整流して第１端子及び第２端子間から整流電圧を出力する整流素子と、前記第１端子に一端が接続されたＬＥＤ素子と、前記ＬＥＤ素子の他端と前記第２端子との間に接続された電流制御部と、を備えるＬＥＤ点灯装置の制御方法であって、
前記電流制御部により、前記ＬＥＤ素子に流れる電流を、温度上昇に伴って減少するように制御することを特徴とする。
【発明の効果】
【００２０】
本発明の一態様に係るＬＥＤ点灯装置によれば、電流制御部が、ＬＥＤ素子に流れる電流を温度上昇に伴って減少するように制御している。これにより、温度が上昇すると、ＬＥＤ点灯装置の各部に流れる電流が減少する。従って、温度に拘らず一定電流を流している場合よりも、温度上昇を抑制できる。よって、ＬＥＤ点灯装置の耐久性を増加させることができると共に、電流制御素子等での電力の損失を減少させることもできる。
【図面の簡単な説明】
【００２１】
【図１】図１は、本発明の実施例１に係るＬＥＤ点灯装置を備える表示装置の回路図である。
【図２】図２は、本発明の実施例１に係るＬＥＤ点灯装置の入力電流を示す波形図である。
【図３】図３は、本発明の実施例１に係るＬＥＤ点灯装置の入力電流を示す波形図である。
【図４】図４は、本発明の実施例１に係るＬＥＤ点灯装置と、従来のＬＥＤ点灯装置との入力電流の時間変化を示す図である。
【図５】図５は、従来のＬＥＤ点灯装置の回路図である。
【発明を実施するための形態】
【００２２】
以下、本発明に係る実施例について図面に基づいて説明する。
【実施例１】
【００２３】
図１は、本発明の実施例１に係るＬＥＤ点灯装置１０を備える表示装置の回路図である。表示装置は、ＬＥＤ点灯装置１０と、制御部（制御盤）２０と、を備える。制御部２０は、例えば半導体リレーＳＳＲ（Ｓｏｌｉｄ  Ｓｔａｔｅ  Ｒｅｌａｙ）を用いて、交流電源Ｅから供給された交流電圧をＬＥＤ点灯装置１０に加えるか否か制御する。本実施例では、表示装置は、歩行者用信号機を構成しているものとする。
【００２４】
ＬＥＤ点灯装置１０は、整流素子Ｂ１と、ＬＥＤ素子１１と、電流制御部１２と、を備える。
【００２５】
整流素子Ｂ１は、４つのダイオードで構成されたブリッジダイオードであり、制御部２０の交流電源Ｅから供給された交流電圧を全波整流して第１端子Ｔ１及び第２端子Ｔ２間から整流電圧Ｖｒを出力する。
【００２６】
ＬＥＤ素子１１は、整流素子Ｂ１の第１端子Ｔ１にアノード（一端）が接続されている。本実施例では、ＬＥＤ素子１１は、第１端子Ｔ１と電流制御部１２との間に直列接続された第１から第ｎの複数のＬＥＤ（ＬＥＤ１〜ＬＥＤｎ）で構成されている。
【００２７】
電流制御部１２は、ＬＥＤ素子１１のカソード（他端）、即ち第ｎのＬＥＤ（ＬＥＤｎ）のカソードと、第２端子Ｔ２と、の間に接続され、ＬＥＤ素子１１に流れる電流を、温度上昇に伴って減少するように制御する。
【００２８】
具体的には、電流制御部１２は、Ｎ型ＭＯＳトランジスタ（電流制御素子）Ｑ１と、第１抵抗Ｒ１と、降圧部１３と、電圧制御部１４と、を有する。
【００２９】
Ｎ型ＭＯＳトランジスタＱ１は、ＬＥＤ素子１１のカソードにドレイン（一端）が接続されている。
【００３０】
第１抵抗Ｒ１は、Ｎ型ＭＯＳトランジスタＱ１のソース（他端）と第２端子Ｔ２との間に接続されている。
【００３１】
降圧部１３は、Ｎ型ＭＯＳトランジスタＱ１のソースの電圧Ｖｓを、温度上昇に伴って低下する温度依存電圧だけ降圧して、参照電圧Ｖｒｅｆを生成する。
【００３２】
電圧制御部１４は、参照電圧Ｖｒｅｆが一定となるように、Ｎ型ＭＯＳトランジスタＱ１のゲート（制御端子）の電圧Ｖｇを制御する。
【００３３】
降圧部１３は、ダイオード素子Ｄ１と、第２抵抗Ｒ２と、を有する。ダイオード素子Ｄ１は、Ｎ型ＭＯＳトランジスタＱ１のソースにアノードが接続されている。第２抵抗Ｒ２は、ダイオード素子Ｄ１のカソードと第２端子Ｔ２との間に接続されている。
【００３４】
本実施例では、ダイオード素子Ｄ１は、Ｎ型ＭＯＳトランジスタＱ１のソースと第２抵抗Ｒ２との間に直列接続された４つのダイオードで構成されているとする。これら４つのダイオードは、Ｎ型ＭＯＳトランジスタＱ１のソースから第２抵抗Ｒ２に順方向電流を流すように接続されている。
【００３５】
温度依存電圧は、ダイオード素子Ｄ１を構成している各ダイオードの順方向電圧Ｖｆの和である。従って、温度依存電圧は、ダイオード素子Ｄ１の温度上昇に伴って低下する。１つのダイオードの順方向電圧Ｖｆの温度係数が約−２ｍＶ／℃であるとすると、本実施例では、温度依存電圧の温度係数は約−８ｍＶ／℃である。
【００３６】
電圧制御部１４は、第３抵抗Ｒ３と、シャントレギュレータＩＣ１と、を有する。第３抵抗Ｒ３は、第１端子Ｔ１に一端が接続されている。
【００３７】
シャントレギュレータＩＣ１は、第３抵抗Ｒ３の他端およびＮ型ＭＯＳトランジスタＱ１のゲートにカソードが接続され、第２端子Ｔ２にアノードが接続され、参照電圧Ｖｒｅｆが基準端子に供給されている。シャントレギュレータＩＣ１は、参照電圧Ｖｒｅｆが増加するとカソードの電圧Ｖｇが低下して、参照電圧Ｖｒｅｆが低下するとカソードの電圧Ｖｇが増加するように動作する。
【００３８】
以上の構成により、ＬＥＤ点灯装置１０は、次のように動作する。
【００３９】
整流電圧Ｖｒは、交流電圧に応じて、例えば約０Ｖから約１４０Ｖの間で周期的に変化する。そして、整流電圧Ｖｒが所定の電圧以上となった各期間で、ＬＥＤ素子１１が導通して電流が流れ、点灯する。
【００４０】
ＬＥＤ素子１１の電流は、一定温度の条件では、温度依存電圧が一定であるため、電流制御部１２によってほぼ一定電流に制御される。つまり、Ｎ型ＭＯＳトランジスタＱ１のソースの電圧Ｖｓがダイオード素子Ｄ１の温度依存電圧だけ降圧されて、基準電圧Ｖｒｅｆが得られる。Ｎ型ＭＯＳトランジスタＱ１のソースの電圧Ｖｓが増加すると、基準電圧Ｖｒｅｆが増加する。すると、基準電圧Ｖｒｅｆがほぼ一定に保たれるように、シャントレギュレータＩＣ１のカソードの電圧Ｖｇが低下して、Ｎ型ＭＯＳトランジスタＱ１のソースの電圧Ｖｓが低下する。従って、Ｎ型ＭＯＳトランジスタＱ１のソースの電圧Ｖｓ、即ち第１抵抗Ｒ１の一端の電圧Ｖｓは、ほぼ一定に保たれるので、ＬＥＤ素子１１に流れる電流は、ほぼ一定電流に制御される。
【００４１】
このようにして、整流素子Ｂ１、ＬＥＤ素子１１、Ｎ型ＭＯＳトランジスタＱ１及び第１抵抗Ｒ１などに電流が流れると、これらは発熱して温度が上昇する。
【００４２】
上記各素子の温度上昇や外部からの熱による温度上昇等によりダイオード素子Ｄ１の温度が上昇すると、その温度依存電圧は、前述のように約−８ｍＶ／℃の温度係数で低下する。そのため、Ｎ型ＭＯＳトランジスタＱ１のソースの電圧Ｖｓが変化しなくとも、基準電圧Ｖｒｅｆが増加する。すると、基準電圧Ｖｒｅｆがほぼ一定に保たれるように、シャントレギュレータＩＣ１のカソードの電圧Ｖｇが低下して、Ｎ型ＭＯＳトランジスタＱ１のソースの電圧Ｖｓが低下する。従って、ＬＥＤ素子１１に流れる電流は減少する。
【００４３】
この動作と逆に、温度が低下すると、ＬＥＤ素子１１に流れる電流は増加する。
【００４４】
図２は、本発明の実施例１に係るＬＥＤ点灯装置１０の入力電流を示す波形図である。この図２は、通電直後の初期状態を示す。同図の縦軸は、交流電源ＥからＬＥＤ点灯装置１０に入力される入力電流を示し、横軸は時間を示す。同図に示すように、入力電流は、正負に変化する矩形波となっていて、その周期は交流電源Ｅの交流電圧の周期と等しい。入力電流の絶対値の最大値は、ほぼ一定値に制御されている。この入力電流の大部分は、ＬＥＤ素子１１に流れる電流である。
【００４５】
図３は、本発明の実施例１に係るＬＥＤ点灯装置１０の入力電流を示す波形図である。この図３は、図２の初期状態から３０分通電後の状態を示す。同図の縦軸及び横軸は、図２と同一スケールである。
【００４６】
図２及び図３に示した範囲Ａから分かるように、３０分通電後では、交流電源ＥからＬＥＤ点灯装置１０に入力される入力電流の最大値が減少している。このことは、温度上昇に起因する。
【００４７】
図４は、本発明の実施例１に係るＬＥＤ点灯装置１０と、従来のＬＥＤ点灯装置（図５）との入力電流の時間変化を示す図である。同図の縦軸は、交流電源ＥからＬＥＤ点灯装置１０に入力される入力電流の平均値を示し、横軸は時間を示す。
【００４８】
同図に示すように、本実施例のＬＥＤ点灯装置１０では、入力電流の平均値は、時間の経過と共に減少している。つまり、入力電流の平均値は、初期状態で約８０ｍＡであり、３０分通電後に約７５．５ｍＡに減少している。この３０分の期間で、通電の影響により、例えば、Ｎ型ＭＯＳトランジスタＱ１の温度は約３５℃上昇している。
【００４９】
一方、図５の従来のＬＥＤ点灯装置では、入力電流の平均値は、時間の経過と共に減少せず、３０分通電後でもほぼ一定電流に制御されている。この３０分の期間で、通電の影響により、例えば、図５のＮ型ＭＯＳトランジスタＱ１１の温度は約４０℃上昇している。
【００５０】
このように、本実施例のＬＥＤ点灯装置１０により、従来のＬＥＤ点灯装置に比して、温度上昇を抑制できる。
【００５１】
以上で説明した様に、本実施例のＬＥＤ点灯装置１０によれば、降圧部１３が、Ｎ型ＭＯＳトランジスタＱ１のソースの電圧Ｖｓを、温度上昇に伴って低下する温度依存電圧だけ降圧して参照電圧Ｖｒｅｆを生成して、電圧制御部１４が、参照電圧Ｖｒｅｆが一定となるようにＮ型ＭＯＳトランジスタＱ１のゲートの電圧Ｖｇを制御するようにしている。これにより、温度が上昇すると、参照電圧Ｖｒｅｆが増加する。すると、電圧制御部１４は、参照電圧Ｖｒｅｆが一定となるように、Ｎ型ＭＯＳトランジスタＱ１のゲートの電圧Ｖｇを低下させるので、Ｎ型ＭＯＳトランジスタＱ１の電流が減少する。即ち、温度が上昇すると、ＬＥＤ点灯装置１０の各部に流れる電流が減少する。
【００５２】
従って、温度に拘らず一定電流を流している場合よりも、電流に起因した温度上昇を効果的に抑制できる。これにより、ＬＥＤ点灯装置１０の耐久性を増加させることができる。
【００５３】
特に、屋外に設置される歩行者用信号機においては、直射日光の影響などによってＬＥＤ点灯装置１０は更に温度上昇しやすくなる。本実施例のＬＥＤ点灯装置１０によれば、従来のＬＥＤ点灯装置に比して温度上昇を抑制できるので、このような条件下においても、ＬＥＤ点灯装置１０の耐久性を増加させることができる。
【００５４】
その上、温度上昇が抑制されると、ＬＥＤ素子１１の順方向電圧Ｖｆの低下を抑制できるので、Ｎ型ＭＯＳトランジスタＱ１及び抵抗Ｒ１に加わる電圧の増加を抑制できる。従って、このＮ型ＭＯＳトランジスタＱ１及び抵抗Ｒ１での電力の損失を減少させることもできる。
【００５５】
また、図５の従来のＬＥＤ点灯装置における抵抗Ｒ１２をダイオード素子Ｄ１に置換すれば、本実施例のＬＥＤ点灯装置１０が実現できるので、複雑な制御回路を用いることなく、温度上昇を抑制できる。
【００５６】
また、ダイオード素子Ｄ１を構成している直列接続されたダイオードの数を増減することで、温度依存電圧の温度係数を変更できるので、温度上昇に対する電流の低減率を容易に変更することができる。
【００５７】
さらに、制御部（制御盤）２０は、白熱電球を用いる既存の歩行者用信号機の制御部と同一のものであるため、白熱電球を用いる歩行者用信号機の白熱電球を、本実施例のＬＥＤ点灯装置１０に交換するだけで、ＬＥＤを用いた歩行者用信号機が低コストで容易に実現できる。
【００５８】
以上、本発明の実施例を詳述してきたが、具体的な構成は上記実施例に限定されるものではなく、本発明の要旨を逸脱しない範囲で種々に変形して実施することができる。
【００５９】
例えば、交流電源Ｅからの交流電圧に代えて、直流電源からの直流電圧が、整流素子Ｂ１を通さず、直接第１端子Ｔ１と第２端子Ｔ２間に供給されても良い。
また、表示装置が歩行者用信号機を構成している一例を説明したが、これに限られない。表示装置は、自動車用信号機を構成しても良く、また、ＬＥＤ素子１１の点灯及び消灯によって何らかの情報を表示するような装置でも良い。
【００６０】
また、ダイオード素子Ｄ１は、１つのダイオードで構成されていても良く、直列接続された複数のダイオードで構成されていてもよい。さらに、ＬＥＤ素子１１は、１つのＬＥＤで構成されていても良い。
【符号の説明】
【００６１】
１０  ＬＥＤ点灯装置
Ｂ１  整流素子
１１  ＬＥＤ素子
１２  電流制御部
１３  降圧部
１４  電圧制御部
ＬＥＤ１〜ＬＥＤｎ  ＬＥＤ
Ｑ１  Ｎ型ＭＯＳトランジスタ（電流制御素子）
Ｒ１  第１抵抗
Ｒ２  第２抵抗
Ｒ３  第３抵抗
Ｄ１  ダイオード素子
ＩＣ１  シャントレギュレータ
２０  制御部
【図１】
0005734764.tif 000002
【図２】
0005734764.tif 000003
【図３】
0005734764.tif 000004
【図４】
0005734764.tif 000005
【図５】
0005734764.tif 000006